(57)【要約】【課題】各開口部から商品収納部内に侵入する外気の温度または湿度の状態が異なる場合においても安定した冷却能力を保持することのできるショーケースを提供する。【解決手段】各空気吸入口２１ｄからそれぞれ底面側通風路２１に吸入した空気を一台の冷却器２６によって冷却するようにしたので、簡単な構成によって冷凍サイクルを構成することができ、温度制御及び除霜制御を容易に行うことができる。また、各開口部から商品収納部１５内に侵入する外気の温度または湿度の状態が異なる場合においても複数の冷却器を設ける場合のように着霜量に差異を生じることはなく、安定した冷却能力を保持することができる。【選択図】図２
2006258323.tif 000002
【特許請求の範囲】
【請求項１】
前面側、背面側及び左右両側面側のうち少なくとも２面に開口部を有するショーケース本体と、ショーケース本体内に設けられた商品収納部と、商品収納部の底面側に沿って形成された底面側通風路と、商品収納部の一方の側面側に沿って形成された側面側通風路と、側面側通風路から分岐して他方の側面側に向かって延びる少なくとも一つの商品冷却用通風路と、底面側通風路内に設けられた冷却器及び送風機とを備え、ショーケース本体の各開口部の下端側に沿って設けられた空気吸入口から底面側通風路内に吸入した空気を冷却し、商品冷却用通風路の各開口部側に設けられた空気吐出口からそれぞれ吐出して商品収納部内を冷却するようにしたショーケースにおいて、
前記底面側通風路を、各空気吸入口からそれぞれ吸入した空気を一つの冷却器によって冷却可能に形成した
ことを特徴とするショーケース。
【請求項２】
前記底面側通風路を、各空気吸入口に沿って形成された第１の底面側通風路と、第１の底面側通風路を除いて底面側通風路の下部に形成された第２の底面側通風路と、第２の底面側通風路の上方に形成され、冷却器及び送風機が配置された第３の底面側通風路とから形成し、
各空気吸入口から吸入した空気を、第１の底面側通風路と第２の底面側通風路と第３の底面側通風路とに順次流通させるように構成した
ことを特徴とする請求項１記載のショーケース。
【請求項３】
前記冷却器を、送風方向に対して直行する方向に冷媒を流通させるように屈曲されたチューブと、送風方向に延びるようにチューブに設けられた複数のフィンと、屈曲されたチューブが貫通するとともに、端部に位置するフィンの側面を覆う一対の側板と、端部に位置するフィンの側面と側板との間に設けられた気密部材とから構成し、
各側板によって第３の底面側通風路の側面の一部を形成した
ことを特徴とする請求項２記載のショーケース。
【請求項４】
前記各開口部の下端側の幅方向に亘って空気吸入口から均一に空気を吸入可能な整流手段を備えた
ことを特徴とする請求項１または２記載のショーケース。
【請求項５】
前記整流手段を、第１の底面側通風路と第２の底面側通風路を仕切る仕切板と、仕切板を開口することにより設けられ、第１の底面側通風路から第２の底面側通風路に空気を流通させる複数の連通孔とから構成し、
送風機からの距離が短い仕切板における連通孔の開口率よりも送風機からの距離が長い仕切板における連通孔の開口率を大きくするようにした
ことを特徴とする請求項４記載のショーケース。
【請求項６】
前記冷却器を下面側から覆うドレンパンを備え、
ドレンパンの上面には、冷却器で生ずる排水を所定方向に流通可能な傾斜面からなる排水受け部と、排水受け部の最下端に配置された排水口とを設けた
ことを特徴とする請求項２記載のショーケース。
【請求項７】
前記排水受け部をドレンパンに複数設けた
ことを特徴とする請求項６記載のショーケース。
【請求項８】
前記各排水受け部を互いにドレンパンの長手方向に配置した
ことを特徴とする請求項７記載のショーケース。
【請求項９】
前記各空気吐出口の幅方向に亘って均一に空気を吐出させる分流手段を備えた
ことを特徴とする請求項１記載のショーケース。
【請求項１０】
前記分流手段を、商品冷却用通風路内の上面または下面に空気の流れ方向と直交するように設けられるとともに、互いに空気の流れ方向に間隔をおいて配置された複数の空気案内板から構成し、
各空気案内板を隣り合う上流側の空気案内板よりも上下方向の寸法が長くなるように形成した
ことを特徴とする請求項９記載のショーケース。
【請求項１１】
前記各空気案内板を、上下方向の端部が空気の流れ方向に向くように傾斜させた
ことを特徴とする請求項１０記載のショーケース。
【発明の詳細な説明】
【技術分野】
【０００１】
本発明は、例えばスーパーマーケット、コンビニエンスストア等の店舗内に設置されるショーケースに関するものである。
【背景技術】
【０００２】
従来、この種のショーケースとしては、前面側、背面側及び一方の側面側に開口部を有するショーケース本体と、ショーケース本体内に設けられた商品収納部と、商品収納部の底面側に沿って形成された底面側通風路と、商品収納部の他方の側面側に沿って形成された側面側通風路と、側面側通風路から分岐して一方の側面側に向かって延びる少なくとも一つの商品冷却用通風路と、底面側通風路内に設けられた冷却器及び送風機とを備え、ショーケース本体の各開口部の下端側に沿って設けられた複数の空気吸入口から底面側通風路内に吸入した空気を冷却し、商品冷却用通風路の各開口部側に設けられた空気吐出口からそれぞれ吐出して商品収納部内を冷却するようにしたものが知られている（例えば、特許文献１参照）。
【特許文献１】特開平１０−１４８４４８号公報
【発明の開示】
【発明が解決しようとする課題】
【０００３】
前記ショーケースにおいては、前面側、背面側及び一方の側面側に開口部を有しているため、商品収納部内に侵入する外気の温度または湿度の状態がそれぞれの開口部によって異なる場合がある。しかしながら、底面側通風路内に設けられた冷却器は、前面側及び背面側または各開口部ごとに設けられ、それぞれ冷媒回路に並列に接続されているため、冷却器によって着霜量が異なることによって冷却能力に差異を生ずるという問題点があった。また、除霜運転を行う場合においても、それぞれの冷却器によって着霜量が異なるために、各冷却器を確実に除霜するための制御が複雑になるという問題点があった。
【０００４】
本発明は前記問題点に鑑みてなされたものであり、その目的とするところは、各開口部から商品収納部内に侵入する外気の温度または湿度の状態が異なる場合においても安定した冷却能力を保持することのできるショーケースを提供することにある。
【課題を解決するための手段】
【０００５】
本発明は前記目的を達成するために、前面側、背面側及び左右両側面側のうち少なくとも２面に開口部を有するショーケース本体と、ショーケース本体内に設けられた商品収納部と、商品収納部の底面側に沿って形成された底面側通風路と、商品収納部の一方の側面側に沿って形成された側面側通風路と、側面側通風路から分岐して他方の側面側に向かって延びる少なくとも一つの商品冷却用通風路と、底面側通風路内に設けられた冷却器及び送風機とを備え、ショーケース本体の各開口部の下端側に沿って設けられた空気吸入口から底面側通風路内に吸入した空気を冷却し、商品冷却用通風路の各開口部側に設けられた空気吐出口からそれぞれ吐出して商品収納部内を冷却するようにしたショーケースにおいて、前記底面側通風路を、各空気吸入口からそれぞれ吸入した空気を一つの冷却器によって冷却可能に形成している。
【０００６】
これにより、各空気吸入口からそれぞれ吸入した空気が一つの冷却器によって冷却されることから、簡単な構成によって冷凍サイクルが構成される。
【発明の効果】
【０００７】
本発明によれば、簡単な構成によって冷凍サイクルを構成することができるので、温度制御及び除霜制御を容易に行うことができる。また、各開口部から商品収納部内に侵入する外気の温度または湿度の状態が異なる場合においても複数の冷却器を設ける場合のように着霜量に差異を生じることはなく、安定した冷却能力を保持することができる。
【発明を実施するための最良の形態】
【０００８】
図１乃至図５は本発明の一実施形態を示すもので、図１はショーケースの全体斜視図、図２はショーケースの正面断面図、図３はショーケースの側面断面図、図４は仕切板を示すショーケースの平面断面図、図５はドレンパンを示すショーケースの平面断面図、図６は分流板を示すショーケースの要部平面図、図７は冷却器の要部斜視図、図８は冷却器の要部平面図である。
【０００９】
このショーケースは、前面側、背面側及び一方の側面側に開口部を有するショーケース本体１０と、ショーケース本体１０内に形成された通風路２０とを備えている。
【００１０】
ショーケース本体１０は、上面を開口した箱形状の下部ケース１１と、上面側を覆う天板１２と、左右両側面の他方を覆う側板１３とから構成されている。下部ケース１１は、前面側、背面側、底面側及び一方の側面側を断熱壁１１ａによって覆われるとともに、他方の側面側を側板１３によって覆われている。下部ケース１１の上面開口部は断熱壁１１ａ内の底面と間隔をおいて配置された底板１１ｂによって覆われている。また、下部ケース１１の側板１３側を除く上端外周部にはガラス板１１ｃが設けられ、底板１１ｂ上が側方から視認可能となっている。更に、下部ケース１１の下部には機械室１１ｄが設けられ、機械室１１ｄ内には、図示しない圧縮機、凝縮器及び凝縮器用送風機等の冷凍機器が収容されている。天板１２は、側板１３の上端側と下部ケース１１の幅方向一端側の前後方向中央部から上方に延びる支柱１４によって支持された断熱性の板状部材からなり、底板１１ｂと天板１２との間には商品収納部１５が形成されている。また、商品収納部１５内には上下一対の商品棚１５ａが取付けられ、底板１１ｂ及び各商品棚１５ａのそれぞれの上面に商品が載置されるようになっている。
【００１１】
通風路２０は、下部ケース１１内の底面と底板１１ｂの間に形成された底面側通風路２１と、側板１３に沿って上方に延びるように形成された側面側通風路２２と、天板１２の下面に形成された商品冷却用通風路としての上部商品冷却用通風路２３と、下側の商品棚１５ａの下面に形成された下部商品冷却用通風路２４と、支柱１４の内部に形成された側面側商品冷却用通風路２５とから構成されている。
【００１２】
底面側通風路２１は、前面側、背面側及び一方の側面側の断熱壁１１ａ内に沿って形成された第１の底面側通風路２１ａと、第１の底面側通風路２１ａを除く下部に形成された第２の底面側通風路２１ｂと、第２の底面側通風路２１ｂの上方に形成された第３の底面側通風路２１ｃとから構成されている。第３の底面側通風路２１ｃ内の他方の側面側には冷却器２６が設けられ、冷却器２６の一方の側面側には冷却器用送風機２７が設けられている。
【００１３】
第１の底面側通風路２１ａは、断熱壁１１ａと底板１１ｂとの間に設けられた空気吸入口２１ｄを介して商品収納部１５と連通するとともに、第１の底面側通風路２１ａと第２の底面側通風路２１ｂとの間の仕切板２１ｅを丸形に開口することにより設けられた複数の連通孔２１ｆを介して第２の底面側通風路２１ｂと連通している。各連通孔２１ｆは、図２及び図４に示すように、仕切板２１ｅの前面側、背面側及び一方の側面側に連続して設けられ、前面側及び背面側の仕切板２１ｅの他方の側面側は一方の側面側の各連通孔２１ｆ間の距離Ｌ１と比較して開口率が大きくなるように各連通孔２１ｆ間の距離Ｌ２が小さく形成されている。つまり、冷却器用送風機２７からの距離が短い仕切板２１ｅにおける連通孔２１ｆの開口率よりも冷却器用送風機２７からの距離が長い仕切板２１ｅにおける連通孔２１ｆの開口率を大きく形成することにより、各空気吸入口２１ｄから吸入する空気の流量が均一になるようになっている。
【００１４】
第２の底面側通風路２１ｂは、各連通孔２１ｆを介して第１の底面側通風路２１ａと連通するとともに、冷却器用送風機２７の下部に設けられた連通孔２１ｇを介して第３の底面側通風路２１ｃと連通している。
【００１５】
第３の底面側通風路２１ｃは、一方の側面側の連通孔２１ｇを介して第２の底面側通風路２１ｂと連通するとともに、他方の側面側が側面側通風路２２に連通している。第３の底面側通風路２１ｃ内に配置された冷却器２６は、周知のフィンチューブ式の熱交換器によって構成され、図７及び図８に示すように、前後方向に連続して配置された複数のフィン２６ａの前面側及び背面側はチューブ２６ｂを貫通させて一体に組付けられた一対の側板２６ｃによって覆われている。また、各側板２６ｃとその内側に位置するフィン２６ａとの間には、外周縁にゴムパッキン等の気密部材２６ｄを充填することにより、チューブ２６ｂの貫通部２６ｅからの空気の漏れを防止するようになっている。即ち、冷却器２６が位置する第３の底面側通風路２１ｃと第１の底面側通風路２１ａは冷却器２６に一体に設けられた側板２６ｃによって仕切られるようになっており、気密部材２６ｄによって圧力差により生じる第３の底面側通風路２１ｃから第１の底面側通風路２１ａへの空気の流通が遮断される。また、冷却器２６の下面側には空気を冷却する際や冷却器２６を除霜する際に生じる排水を受けるためのドレンパン２６ｆが設けられ、ドレンパン２６ｆによって第２の底面側通風路２１ｂと第３の底面側通風路２１ｃが仕切られるようになっている。ドレンパン２６ｆには、図５に示すように、一方の側面側及び前後方向中央側に向かって傾斜面が形成された排水受け部２６ｇが幅方向に複数設けられ、それぞれの最下端には排水を第２の底面側通風路２１ｂ側に流通させる排水口２６ｈが設けられている。
【００１６】
側面側通風路２２は、側板１３と断面Ｕ字状に形成された上下方向に延びるダクト部材２２ａとの間に形成され、上部商品冷却用通風路２３と下部商品冷却用通風路２４にそれぞれ連通するようになっている。
【００１７】
上部商品冷却用通風路２３は天板１２の下面を他方の側面側から一方の側面側に向かって延びるように形成され、その前面側、背面側及び一方の側面側の端部にはそれぞれ空気吐出口２３ａが設けられている。また、上部商品冷却用通風路２３内の上面側には、図２及び図６に示すように、各空気吐出口２３ａの幅方向に亘って均一に空気を吐出するための複数の空気案内板２８が設けられている。各空気案内板２８は、前後方向に延びるとともに、互いに幅方向に間隔をおいて配置された複数の空気案内板２８ａと、一方の側面側の空気吐出口２３ａに隣接する一対の空気案内板２８ｂとから構成されている。各空気案内板２８ａは、下端側が一方の側面側に向くように傾斜し、隣り合う他方の側面側に位置する空気案内板２８ａよりも上下方向の寸法が長くなるように形成されている。また、各空気案内板２８ｂは、上部商品冷却用通風路２３の前後方向中央部からそれぞれ一方の側面側の空気吐出口２３ａの両端側に向かって斜めに延びるように設けられている。
【００１８】
下部商品冷却用通風路２４は下側の商品棚１５ａの下面を他方の側面側から一方の側面側に向かって延びるように形成され、その前面側及び背面側の端部にはそれぞれ空気吐出口２４ａが設けられている。また、下部商品冷却用通風路２４の一方の側面側の端部は、側面側商品冷却用通風路２５と連通するようになっている。
【００１９】
側面側商品冷却用通風路２５は、支柱１４内を上下方向に延びるように形成され、一方の側面側に複数の空気吐出口２５ａが設けられている。
【００２０】
以上のように構成されたショーケースにおいて、前面側、背面側及び一方の側面側の開口部下端に位置する各空気吸入口２１ｄから冷却器用送風機２７によって第１の底面側通風路２１ａ内に吸入された空気は、仕切板２１ｅに開口された連通孔２１ｆを介して第２の底面側通風路２１ｂに流入する。このとき、仕切板２１ｅに開口された連通孔２１ｆの間隔は、冷却器用送風機２７からの距離が短い一方の側面側に位置する仕切板２１ｅの連通孔２１ｆの間隔よりも冷却器用送風機２７からの距離が長い他方の側面側に位置する仕切板２１ｅの連通孔２１ｆの間隔が小さく形成されている。これにより、各空気吸入口２１ｄの幅方向に亘って均一の流量で空気が吸入される。第２の通風路２１ｂに流入した空気は連通孔２１ｇを介して第３の通風路２１ｃ内に流入して冷却器２６によって冷却される。冷却器２６によって冷却された空気は、側面側通風路２２から上部商品冷却用通風路２３及び下部商品冷却用通風路２４にそれぞれ分岐して流通し、上部商品冷却用通風路２３に流入した空気は各空気吐出口２３ａから吐出される。このとき、上部商品冷却用通風路２３を流通する空気は、各空気案内板２８と接触しながら一方の側面側に流通し、各空気吐出口２３ａの幅方向に亘って均一の流量となって吐出される。また、下部商品冷却用通風路２４に流入した空気は一部が前端側及び後端側の空気吐出口２４ａから吐出されるとともに、その他の空気は側面側商品冷却用通風路２５に流入して各空気吐出口２５ａから一方の側面側に向かって吐出される。これにより、商品収納部１５内は冷却され、各商品棚１５ａ及び底板１１ｂに載置された商品は冷却保存される。
【００２１】
また、冷却器２６で生ずる排水は各フィン２６ａの間に滞留することなくドレンパン２６ｆの各排水受け部２６ｇに案内されて排水口２６ｈから第２の底面側通風路２１ｂに流通するため、熱交換面積が減少することはなく冷却効率の低下を防止することが可能となる。
【００２２】
このように、本実施形態のショーケースによれば、各空気吸入口２１ｄからそれぞれ底面側通風路２１に吸入した空気を一台の冷却器２６によって冷却するようにしたので、簡単な構成によって冷凍サイクルを構成することができ、温度制御及び除霜制御を容易に行うことができる。また、各開口部から商品収納部１５内に侵入する外気の温度または湿度の状態が異なる場合においても複数の冷却器を設ける場合のように着霜量に差異を生じることはなく、安定した冷却能力を保持することができる。
【００２３】
また、底面側通風路２１を、各空気吸入口２１ｄに沿って形成された第１の底面側通風路２１ａと、第１の底面側通風路２１ａを除く下部に形成された第２の底面側通風路２１ｂと、第２の底面側通風路２１ｂの上方に形成され、冷却器２６及び冷却器用送風機２７が配置された第３の底面側通風路２１ｃとから構成したので、各空気吸入口２１ｄからそれぞれ吸入した空気を第１の底面側通風路２１ａ、第２の底面側通風路２１ｂ及び第３の底面側通風路２１ｃに順次流通させて冷却器２６に流通させることができ、各空気吐出口２１ｄの幅方向に亘って冷却器２６を配置する必要はなく、冷却器２６の小型化を図ることができる。
【００２４】
また、冷却器２６を構成するチューブ２６ｂが貫通する側板２６ｃによって第３の底面側通風路２１ｃの一部を形成し、側板２６ｃとフィン１６ａとの間に気密部材２６ｄを充填するようにしたので、貫通部２６ｅからの空気の漏れを防止することができ、第１の底面側通風路２１ａと第３の底面側通風路２１ｃとの間の空気の流通を確実に防止することができる。
【００２５】
また、各空気吸入口２１ｄの幅方向に亘って均一に空気を吸入させるようにしたので、商品収納部１５内の空気を偏りなく各空気吸入口２１ｄから吸入させることができ、商品収納部１５内の温度の均一化を図ることができる。
【００２６】
また、第１の底面側通風路２１ａと第２の底面側通風路２１ｂを仕切板２１ｅによって仕切るとともに、冷却器用送風機２７からの距離が短い仕切板２１ｅにおける連通孔２１ｆの開口率よりも冷却器用送風機２７からの距離が長い仕切板２１ｅにおける連通孔２１ｆの開口率を大きくなるようにして各空気吸入口２１ｄの幅方向に亘って空気を均一に吸入するようにしたので、簡単な部材によって各空気吸入口２１ｄの幅方向に亘って均一に空気を吸入させることができ、製造コストの低減を図ることができる。
【００２７】
また、冷却器２６を下面側から覆うドレンパン２６ｆを備え、ドレンパン２６ｆに、冷却器２６で生ずる排水を所定方向に流通させる傾斜面からなる排水受け部２６ｇと、排水受け部２６ｇの最下端に配置された排水口２６ｈとを設けたので、冷却器２６で生ずる排水が各フィン２６ａの間に滞留することなくドレンパン２６ｆの各排水受け部２６ｇに案内されて排水口２６ｈから第２の底面側通風路２１ｂに流通するため、熱交換器２６の熱交換面積が減少することはなく冷却効率の低下を防止することが可能となる。
【００２８】
また、ドレンパン２６ｆの排水受け部２６ｇをドレンパン２６ｆに複数設けたので、各排水受け部２６ｇの傾斜面の長さを短く形成することができ、ドレンパン２６ｆの上下方向の寸法を小さく形成することができる。
【００２９】
また、ドレンパン２６ｆの排水受け部２６ｇをドレンパン２６ｆの長手方向に複数設けたので、ドレンパン２６ｆの長手方向に傾斜するように傾斜面が設けられる場合にもドレンパン２６ｆの上下方向の寸法を小さく形成することができる。
【００３０】
また、各空気吐出口２３ａの幅方向に亘って均一に空気を吐出させるようにしたので、商品収納部１５内の温度を偏りなく均一に保持することができ、商品収納部１５内の商品を確実に冷却することができる。
【００３１】
また、上部商品冷却用通風路２３内の上面に空気の流れ方向と直行するように設けられるとともに、互いに空気の流れ方向に間隔をおいて配置された空気案内板２８ａから構成し、各空気案内板２８ａを隣り合う上流側の空気案内板２８ａよりも上下方向の寸法が長くなるように形成することにより各空気吐出口２３ａの幅方向に亘って均一に空気を吐出させるようにしたので、簡単な部材によって空気を各空気吐出口２３ａの幅方向に亘って均一に吐出させることができ、製造コストの低減を図ることができる。
【００３２】
各空気案内板２８ａを、下端側が空気の流れ方向に向くように傾斜させたので、空気の流通を阻害することなく、空気案内板２８ａによって効率的に空気を各空気吐出口２３ａに案内することができる。
【００３３】
尚、前記実施形態では、前面側、背面側及び一方の側面側に開口部を有するショーケースに本発明を適用したものを示したが、前面側及び背面側に開口部を有するショーケースや前面側及び一方の側面側に開口部を有するショーケースなど、少なくとも２面に開口部を有するショーケースであれば前述のような効果を得ることができる。
【００３４】
また、前記実施形態では、冷却器２６の上流側に冷却器用送風機２７を設けたものを示したが、冷却器２６の下流側に冷却器用送風機２７を設けるようにしたものでもよい。この場合、気密部材２６ｄによって第１の底面側通風路２１ａから第３の底面側通風路２１ｃへの空気の流通が遮断される。
【図面の簡単な説明】
【００３５】
【図１】本発明の一実施形態を示すショーケースの全体斜視図
【図２】ショーケースの正面断面図
【図３】ショーケースの側面断面図
【図４】仕切板を示すショーケースの平面断面図
【図５】ドレンパンを示すショーケースの平面断面図
【図６】分流板を示すショーケースの要部平面図
【図７】冷却器の要部斜視図
【図８】冷却器の要部平面図
【符号の説明】
【００３６】
１０…ショーケース本体、１５…商品収納部、２０…通風路、２１…底面側通風路、２１ａ…第１の底面側通風路、２１ｂ…第２の底面側通風路、２１ｃ…第３の底面側通風路、２１ｄ…空気吸入口、２２…側面側通風路、２３…上部商品冷却用通風路、２３ａ…空気吐出口、２６…冷却器、２６ａ…フィン、２６ｂ…チューブ、２６ｃ…側板、２６ｄ…気密部材、２６ｆ…ドレンパン、２６ｇ…排水受け部、２６ｈ…排水口、２７…冷却器用送風機、２８…空気案内板、２８ａ…空気案内板。
【図１】
2006258323.tif 000003
【図２】
2006258323.tif 000004
【図３】
2006258323.tif 000005
【図４】
2006258323.tif 000006
【図５】
2006258323.tif 000007
【図６】
2006258323.tif 000008
【図７】
2006258323.tif 000009
【図８】
2006258323.tif 000010